(57)【要約】【課題】スコーカおよびツイータのそれぞれの振動板からの音を視聴者から見て同じ位置から発生させることができ、かつ、１枚のコーン形振動板でスコーカ領域の音の再生とウーファ領域の音の再生を行わせることができるスピーカシステムを提供する。【解決手段】ツイータ用のボイスコイルギャップとそれより大径でそれより前方に位置するスコーカ用のボイスコイルギャップとを直列に有するスピーカ磁気回路と、前方に凸のドーム形状に形成されツイータのボイスコイルで駆動されるツイータの振動板と、中心軸線に対する斜面の傾斜が後方中央に向かって徐々に中心軸線と平行に近づく前方に凹の円錐台状の曲面に形成されスコーカのボイスコイルで駆動されるスコーカ振動板と、スコーカ振動板の外周縁に振動に対して柔軟であるとともに粘性および内部損を有する粘弾性体からなる円環面状の連結振動板を介してスコーカの円錐台状曲面の延長方向に連結されたウーファ振動板を備えてなる。【選択図】図２
2020031405.tif 000002
【特許請求の範囲】
【請求項１】
スピーカの前後方向中心軸線を中心とする同心円柱面で半径方向に対向して形成された第一のボイスコイルギャップと、前記第一のボイスコイルギャップより前方の位置において前記第一のボイスコイルギャップより大径の前記前後方向中心軸線を中心とする同心円柱面で半径方向に対向して形成された第二のボイスコイルギャップとを直列に有するスピーカ磁気回路と、
前記第一のボイスコイルギャップの中に配置された第一のボイスコイルと、
前記第二のボイスコイルギャップの中に配置された第二のボイスコイルと、
前方に凸のドーム形状に形成され外周縁が前記第一のボイスコイルの前縁に接続された第一の振動板と、
前記前後方向中心軸線を中心軸とする前方に凹の円錐台状の曲面であって、中心軸に対する斜面の傾斜が後方中央に向かって徐々に前記前後方向中心軸線と平行に近づく曲面を成し、中央部に円形の開口部を有する湾曲した円錐台状曲面の形状に形成され、前記円形開口部の内周縁が前記第二のボイスコイルの前縁に接続された第二の振動板と、
前記第二の振動板の外周縁に接続され当該第二の振動板の曲面の延長方向の曲面をなす円環状を呈し、振動に対して柔軟であるとともに粘性および内部損を有する粘弾性体からなる円環面状の連結振動板と、
前記円環面状の連結振動板の外周縁に接続され前記第二の振動板および前記連結振動板の曲面の延長方向の曲面をなす第三の振動板と、
前記磁気回路に固定されていて前記第三の振動板の外周縁をダンパを介して前後方向の振動に対して浮動的に支持する支持枠体と
を備えてなるスピーカシステム。
【請求項２】
請求項１に記載のスピーカシステムであって、さらに、
前記第一の振動板および前記円形開口部に接触しない状態で前記第一の振動板に近接した位置から前記円形開口部を越える位置までに掛けて配置され、前記第一の振動板の径に対応する径の入口開口から前記円形開口部の内径に対応する径の出口開口まで徐々に内径が広がる筒形に形成された、音波を誘導する導波ホーンを備えてなる
ことを特徴とするスピーカシステム。
【請求項３】
請求項２に記載のスピーカシステムであって、さらに、
前記第一の振動板の前方正面に、前記導波ホーンの入口開口の部分から途中の部分までに掛けて、前記第一の振動板のドーム形状に向かい合う背面を有し、前端に向かって徐々に円柱状から先細となる側面を有する形状の整流器を、前記背面と前記導波ホーンの入口開口との間に隙間を空けて備えてなる
ことを特徴とするスピーカシステム。
【請求項４】
請求項１〜３のいずれかに記載のスピーカシステムにおいて、
前記磁気回路は、中央磁極部材と、前記中央磁極部材に対して間に第一のボイスコイルギャップを介在させて対向して設けられた中間磁極部材と、前記中間磁極部材に対して間に第二のボイスコイルギャップを介在させて対向して設けられた前面ヨーク部材と、前記前面ヨーク部材に接続して設けられた永久磁石からなる側面ヨーク部材と、前記側面ヨーク部材と前記中央磁極部材の間に両者に接続して設けられた背面ヨーク部材とを備えて構成されている
ことを特徴とするスピーカシステム。
【請求項５】
請求項４に記載のスピーカシステムにおいて、
前記永久磁石がネオジム・コバルト磁石であって、前記第二のボイスコイルギャップの磁束密度が０．６テスラ以上である
ことを特徴とするスピーカシステム。
【請求項６】
請求項１〜５のいずれかに記載のスピーカシステムにおいて、
前記第一の振動板は、ベリリウムを主構成要素とする厚さが２０〜３０μｍの板状部材で形成されており、前記第二の振動板は、マグネシウムを主構成要素とする厚さが５０〜２００μｍの板状部材で形成されており、前記第三の振動板は、ステンレスを主構成要素とする厚さが０．５〜１ｍｍの板状部材で形成されている
ことを特徴とするスピーカシステム。
【請求項７】
請求項１〜５のいずれかに記載のスピーカシステムにおいて、
前記第一の振動板は、ベリリウムを主構成要素とする厚さが２０〜３０μｍの板状部材で形成されており、前記第二の振動板は、マグネシウムを主構成要素とする厚さが５０〜２００μｍの板状部材で形成されており、前記第三の振動板は、アルミニウムを主構成要素とする厚さが１〜２ｍｍの板状部材で形成されている
ことを特徴とするスピーカシステム。
【請求項８】
請求項６または７に記載のスピーカシステムにおいて、
前記第一の振動板は、前方に凸のドーム形状の直径が１０〜３０ｍｍであり、前記第二の振動板は、前方に凹の円錐台形状の直径が５０〜７０ｍｍであり、前記第三の振動板は、曲面の外周円の直径が１４０〜２００ｍｍである
ことを特徴とするスピーカシステム。
【発明の詳細な説明】
【技術分野】
【０００１】
この発明は、オーディオ再生装置におけるスピーカシステムに関し、より具体的には、再生音域を複数のスピーカで各音域ごとに分担して受け持たせて再生する形式のスピーカシステムにおいて、中音域および低音域用にコーン形振動板を採用し、高音域用にドーム形振動板を採用して、両振動板を同軸にかつ前後方向に接近させて配設したことにより、視聴者から見た音像の位置（方向）が周波数によってずれないように工夫するとともに、コーン形振動板を半径方向の途中で二分割して内側振動板部分と外側振動板部分との間を振動に対して柔軟であるとともに粘性および内部損を有する粘弾性体からなる円環面状の連結振動板で連結したコーン形の構成として内側振動板部分で中音域を再生し内側振動板部分と外側振動板部分の合わさった全体で低音域を再生するような構造としたことにより、低音域から高音域まで全音域の範囲の音を見かけ上１個のスピーカで良好に再生できるように工夫したものである。さらに、コーン形振動板の中央開口部の空間を利用して、ドーム形振動板の前方に導波ホーンを配置して、高音域の音を効率よく再生させる工夫もなされている。
【背景技術】
【０００２】
オーディオ再生装置では、低音から高音までの広い周波数帯域の音を再生するために、再生音域を複数のスピーカで各音域ごとに分担して受け持たせて再生するスピーカシステムがある。最も一般的なものは、低音域を再生するウーファ、中音域を再生するスコーカ、高音域を再生するツイータからなる３ウエイスピーカシステムであり、通常は、一つの縦長のスピーカボックス（エンクロージャ）に下からウーファ、スコーカ、ツイータの順で３個のスピーカが配置されている。
【０００３】
音は、周波数が高いほど指向性が鋭いので、スコーカとツイータが上下の異なる箇所に配置されていることにより視聴者から見て中音域の音と高音域の音が上下にずれた位置から発しているように感じられる欠点を有することが否めない。つまり、周波数帯域に応じて視聴者から見た音像の定位が上下に揺れ動くことになる。また、振動板が上下に異なる箇所に配置されることから、その取付け面積に応じてスピーカボックスの高さが高くなり、大型とならざるを得ない。なお、低音域の音は指向性が鋭くないので、発音源の位置はあまり問題にならない。
【０００４】
従来技術の中にも、互いに異なる周波数帯域の音の再生を受け持つ複数のスピーカを同軸上に配置して発音源の音像の定位がずれないようにしようという発明が見受けられ、例えば、特許文献１〜４に開示されているが、いずれの技術も、振動板・ボイスコイル・磁気回路を備えてなる一つのスピーカの前方の空いた箇所に、同様に振動板・ボイスコイル・磁気回路を備えた大きさの異なる別のスピーカを配置する構成を採用しており、いわゆる別々のスピーカを前後方向に並べたに過ぎない。そのため、構成上嵩張らざるを得ない。また、特許文献５には、ツイータとスコーカの振動板同士を接近させた構造の複合スピーカが開示されており、中音と高音の前後方向の音像定位の問題を解決しているが、やはり、それぞれ振動板・ボイスコイル・磁気回路を独立に備えてなる２種のスピーカを空間的にやりくりして組み合わせているので、特に磁気回路が複雑な形状を呈している。
【０００５】
さらに、特許文献６〜７には、いずれもドーム形状のスコーカとツイータの振動板を各外周縁部で駆動する各ボイスコイル用のギャップを同一板面内で同心円状に直列配置した磁気回路を備えてなるスピーカが開示されており、単一の磁気回路内に２つのボイスコイルギャップを直列に形成したことにより、磁気回路を簡単な構造でかつ小型に作り上げている。しかしながら、スコーカの振動板がドーム形状であるので、その振動板でウーファ領域の音の再生まで行わせようとの配慮は、なされていない。
【先行技術文献】
【特許文献】
【０００６】
【特許文献１】特開２００５−２７７８７４号公報
【特許文献２】特開２００５−３０３４８４号公報
【特許文献３】特開２００９−    ５１８０号公報
【特許文献４】特開２０１２−１８２７７３号公報
【特許文献５】実開昭５６−０２６４８６号マイクロフィルム
【特許文献６】特許第５９６４４８５号公報
【特許文献７】特開２０１７−１１２４９８号公報
【発明の概要】
【発明が解決しようとする課題】
【０００７】
この発明は、スコーカおよびツイータのそれぞれの振動板からの音を視聴者から見て同じ位置（方向）から発生させることができ、かつ、スコーカの振動板の外周に振動に対して柔軟であるとともに粘性および内部損を有する粘弾性体からなる円環面状の連結振動板を介してウーファの振動板を連結して、見かけ上１個のコーン形振動板からスコーカ領域の音とウーファ領域の音を再生できるスピーカシステムを提供しようというものである。
【課題を解決するための手段】
【０００８】
上記の課題を解決するために、この発明によるスピーカシステムは、スピーカの前後方向中心軸線を中心とする同心円柱面で半径方向に対向して形成された第一のボイスコイルギャップと、第一のボイスコイルギャップより前方の位置において第一のボイスコイルギャップより大径の前後方向中心軸線を中心とする同心円柱面で半径方向に対向して形成された第二のボイスコイルギャップとを直列に有するスピーカ磁気回路と、第一のボイスコイルギャップの中に配置された第一のボイスコイルと、第二のボイスコイルギャップの中に配置された第二のボイスコイルと、前方に凸のドーム形状に形成され外周縁が第一のボイスコイルの前縁に接続された第一の振動板と、前後方向中心軸線を中心軸とする前方に凹の円錐台状の曲面であって、中心軸に対する斜面の傾斜が後方中央に向かって徐々に前後方向中心軸線と平行に近づく曲面を成し、中央部に円形の開口部を有する湾曲した円錐台状曲面の形状に形成され、円形開口部の内周縁が第二のボイスコイルの前縁に接続された第二の振動板と、第二の振動板の外周縁に接続され第二の振動板の曲面の延長方向の曲面をなす円環状を呈し、振動に対して柔軟であるとともに粘性および内部損を有する粘弾性体からなる円環面状の連結振動板と、円環面状の連結振動板の外周縁に接続され第二の振動板および連結振動板の曲面の延長方向の曲面をなす第三の振動板と、磁気回路に固定されていて第三の振動板の外周縁をダンパを介して前後方向の振動に対して浮動的に支持する支持枠体とを備えてなることを特徴とする。
【０００９】
この発明によるスピーカシステムでは、さらに、上記の構造に加えて、第一の振動板および第二の振動板の円形開口部に接触しない状態で第一の振動板に近接した位置から第二の振動板の円形開口部を越える位置までに掛けて配置され、第一の振動板の径に対応する径の入口開口から第二の振動板の円形開口部の内径に対応する径の出口開口まで徐々に内径が広がる筒形に形成された、音波を誘導する導波ホーンを備えることにより、第一の振動板からの音波の放射効率を高めることができる。
【００１０】
さらに、この発明によるスピーカシステムは、上記の構造に加えて、第一の振動板の前方正面に、導波ホーンの入口開口の部分から途中の部分までに掛けて、第一の振動板のドーム形状に向かい合う背面を有し、前端に向かって徐々に円柱状から先細となる側面を有する形状の整流器を、当該背面と導波ホーンの入口開口との間に隙間を空けて備えることにより、第一の振動板の分割振動からの直接放射が整流器の背面に遮られて分割振動に起因する歪み成分が適当に抑えられて、歪みの少ない音が導波ホーンの前方に放射されるようにすることができる。
【００１１】
さらに、この発明のスピーカシステムでは、磁気回路を、中央磁極部材と、中央磁極部材に対して間に第一のボイスコイルギャップを介在させて対向して設けられた中間磁極部材と、中間磁極部材に対して間に第二のボイスコイルギャップを介在させて対向して設けられた前面ヨーク部材と、前面ヨーク部材に接続して設けられた永久磁石からなる側面ヨーク部材と、側面ヨーク部材と中央磁極部材の間に両者に接続して設けられた背面ヨーク部材とを備えて構成すれば、永久磁石による起磁力を利用するスピーカシステムを構成することができる。また、その場合、永久磁石としてネオジム・コバルト磁石を採用すれば、第二のボイスコイルギャップの磁束密度を０．６テスラ以上に設計することができるので、第二のボイスコイルの動きに対する制動効果が働いて、第二の振動板、連結振動板および第三の振動板からなる振動系の最低共振周波数領域におけるＱ値が低下して、全体的には音圧が減少するけれども、より低い周波数まで再生音域を延ばすことができる。
【００１２】
さらに、この発明のスピーカシステムでは、第一の振動板を、ベリリウムを主構成要素とする厚さが２０〜３０μｍの板状部材で形成し、第二の振動板を、マグネシウムを主構成要素とする厚さが５０〜２００μｍの板状部材で形成し、第三の振動板を、ステンレスを主構成要素とする厚さが０．５〜１．０ｍｍの板状部材またはアルミニウムを主構成要素とする厚さが１〜２ｍｍの板状部材で形成すると、振動板の面内の分割振動が抑えられた好適なスピーカシステムが実現できる。その場合、前方に凸のドーム形状である第一の振動板の直径は、１０〜３０ｍｍの範囲が好適であり、前方に凹の湾曲した円錐台状の曲面である第二の振動板の直径は、５０〜７０ｍｍの範囲が好適であり、第二の振動板の曲面の延長方向の曲面である第三の振動板の直径は、１４０〜２００ｍｍの範囲が好適である。
【発明の効果】
【００１３】
この発明によれば、スピーカシステムにおいて、高音域を受け持つ前方に凸のドーム形状の振動板と中音域を受け持つ前方に凹の湾曲した円錐台状の曲面の振動板を前後方向の異なる位置で同軸に配設したので、高音域と中音域の音像がずれた位置（方向）から聞こえてくることがなく、再生音の音像の揺れ動きをなくすことができる。また、湾曲した円錐台状の曲面の振動板の形状を中心軸に対する斜面の傾斜が後方中央に向かって徐々に中心軸線と平行に近づく曲面としたので、当該部分における振動板の曲げこわさが向上して分割振動が抑えられ、歪みの少ない音再生が得られる。さらに、中音域用の振動板の半径方向外側に当該振動板の曲面の延長方向の曲面をなすように、振動に対して柔軟であるとともに粘性および内部損を有する粘弾性体からなる円環面状の連結振動板を介して低音域用の振動板を連結したことにより、中音域の振動板で中音域の音の再生をし、中音域用の振動板と連結振動板と低音域用の振動板の合わさった全体で低音域の音の再生をすることができる。
【図面の簡単な説明】
【００１４】
【図１】この発明の実施形態によるスピーカシステムの正面図である。
【図２】図１のＩＩ−ＩＩ線における断面図である。
【図３】図２の枠ＩＩＩ内の部分の拡大断面図である。
【発明を実施するための形態】
【００１５】
以下、図面を参照しながら、この発明のスピーカシステムの実施形態について説明する。図１は、この発明の一実施形態の正面図であり、図２は、図１のＩＩ−ＩＩ線における断面図であり、図３は、図２の枠ＩＩＩ内の部分の拡大断面図である。
【００１６】
まず、この実施形態のスピーカシステムの磁気回路について説明する。なお、磁気回路は、全体的にスピーカの前後方向中心軸線Ｘｏ−Ｘｏを中心軸とする回転対称図形に形成されている。中央磁極部材１１が、前端部分（図２では左端部分）にツイータ用のボイスコイルギャップを形成するための円柱状の磁極部１１ａを有するとともに、磁極部１１ａの後方（図２では右方）に一旦細径の円柱部を形成した後に徐々に大径になる円錐台状の基部１１ｂを有して、円板状の背面ヨーク部材１５に接続して設けられている。磁極部１１ａの半径方向外方から前方（図２では左方）に掛けて、中央磁極部材１１と同軸の円筒状の中間磁極部材１２が支持部材１６により背面ヨーク部材１５に対して支持されており、中間磁極部材１２の後端部分は内向きに円環状に張り出して磁極部１２ａを形成していて中央磁極部材１１の磁極部１１ａと同心円柱面同士で対向しており、磁極部１１ａと磁極部１２ａとの間にツイータ用のボイスコイルギャップ２５が形成されている。中間磁極部材１２の前端部分は外向きに円環状に張り出して磁極部１２ｂが形成されており、磁極部１２ｂの半径方向外方には、円板状の前面ヨーク部材１３の内側に円環面を有する磁極部１３ａが同心円柱面同士で対向して設けられており、磁極部１２ｂと磁極部１３ａとの間に、スコーカ用のボイスコイルギャップ３５が形成されている。スコーカ用のボイスコイルギャップ３５は、ツイータ用のボイスコイルギャップ２５より大径で、ツイータ用のボイスコイルギャップ２５より前方に位置している。
【００１７】
前面ヨーク部材１３の外周部１３ｂの後面（図２では右面）には、その円周方向に横並べして円柱の軸線方向に着磁した円柱状の永久磁石１８が複数本（図１では、１０本）接続されており、その後方（図２では右方）には、円板状の背面ヨーク部材１５が接続して設けられていて、背面ヨーク部材１５の中央部分は、前述の中央磁極部材１１の基部１１ｂの背面に接続されている。これにより、中央磁極部材１１、中間磁極部材１２、前面ヨーク部材１３、永久磁石１８および背面ヨーク部材１５が、途中にツイータ用のボイスコイルギャップ２５およびスコーカ用のボイスコイルギャップ３５を直列に有するスピーカ磁気回路を形成している。磁気回路を構成する材質としては、中央磁極部材１１および中間磁極部材１２をＦｅおよびＣｏを主要成分とする磁性材料のパーメンジュールで構成すると、材料の飽和磁束密度が高いので、特に寸法に制約のあるツイータのボイスコイルギャップ２５の磁束密度を高く確保することができて、有利である。この場合、中間磁極部材１２を磁極部１２ａの有る後部（図２では、右部）の部分と残りの部分に分けて当該後部の部分のみをパーメンジュールとして、中央磁極部材１１を磁極部１１ａの有る前部（図２では、左部）の部分と残りの部分に分けて当該前部の部分のみをパーメンジュールとして、コスト上昇を抑えることもできる。
【００１８】
永久磁石１８は、この磁気回路の起磁力源であるが、永久磁石は、円柱状の部材を円柱の軸線方向に着磁して製造されることが多く、入手も容易であるので、この実施形態のよう、磁気回路の外周側面ヨークとなる箇所に円柱状の永久磁石１８を複数本横並べして配置する構成を採ると、中央磁極部材１１および中間磁極部材１２自体を永久磁石とするよりもはるかに強力な起磁力が得られる。この場合、両ボイスコイルギャップの磁束密度を極力高くすべく、できるだけ起磁力の大きい強力な永久磁石を使用したいので、できるだけ太い永久磁石を円柱体同士の間に隙間が空かないように密着させて配置する。この実施形態における具体的な数値を紹介すると、スコーカのボイスコイルギャップ３５の長さ（ボイスコイルの振動方向の長さ）が１５ｍｍ、したがって、前面ヨーク部材１３（材質は軟鉄）の厚さが１５ｍｍであり、各永久磁石１８が直径２０ｍｍ、長さ３０ｍｍの軸方向に着磁したネオジム・コバルト磁石（飽和磁束密度が高く、エネルギ積が大きい材料）であり、背面ヨーク部材１５（材質は軟鉄）の厚さが１５ｍｍであり、中央磁極部材１１および中間磁極部材１２の材質がパーメンジュールである。ボイスコイルギャップ３５の磁束密度は０．７Ｔ（テスラ）（＝７，０００ガウス）である。ボイスコイルの巻き線３３の巻幅（振動方向の長さ）は７ｍｍで、ボイスコイルが振幅７ｍｍで振動しても、ボイスコイルの巻き線３３がボイスコイルギャップ３５からはみ出さないように設定してある。なお、永久磁石としては、同様にエネルギ積の大きいネオジム・鉄・ボロン磁石を採用することもできる。なお、昨今の情勢で、ネオジムが資源的に乏しいことに鑑み、強力磁石材料として別の元素に移行する開発研究が進められているので、今後さらに強力な永久磁石が開発されて、この実施形態のスピーカの性能向上が期待される。
【００１９】
ボイスコイルギャップの磁束密度が高いと、スコーカおよびウーファの場合に、再生音の周波数特性の面で次のような利点がある。すなわち、アンプの低い出力インピーダンスで両端が短絡されたボイスコイルの閉じた線輪が高磁束密度の磁界の中を動くことに対して、線輪に作用する制動力が大きくなる。そのため、周波数特性の最低共振周波数（ｆ０  ）におけるＱ値が低下し、特性曲線のピークが抑えられ、それ以下の裾野部分が低域に向かって延びることになる。この発明のように、スコーカのボイスコイルによりスコーカの振動板を介してウーファの振動板を駆動する方式の場合、両者の合わさった振動板の系による再生音域を低音の方に広げることに寄与する。併せてスピーカエンクロージャの内部共振周波数をスピーカのｆ０  以下の適当な値に設定すれば、周波数特性の低域をさらに延ばすことが期待できる。
【００２０】
次いで、この実施形態のスピーカシステムの振動板の系について説明する。ツイータ用のボイスコイルギャップ２５の中には、ツイータ用ボイスコイルの巻き線２３が巻回されたツイータ用ボイスコイルのボビン２２が、ツイータ用のダンパ２４により中間磁極部材１２に対して位置決め支持されて、ギャップ２５内で宙吊り状態で前後方向（図２では左右方向）に往復運動可能に配置されている。ツイータ用ボイスコイルのボビン２２の前縁には、前方に凸のドーム形状に形成されたツイータの振動板２１の外周縁２１ｃが一体的に接続形成されている。ツイータ用ボイスコイルの巻き線２３に流れる音声電流に応じてツイータの振動板２１が振動して、前方（図２では左方）に放音する。ツイータの振動板２１は、厚さが２５μｍのＢｅの薄板で、直径２６ｍｍの前方に凸のドーム形状に形成されている。なお、発明者らの実験では、Ｂｅの板厚は、２０〜３０μｍの範囲で、また、ドーム形状の直径は、１０〜３０ｍｍの範囲で、実用的であった。また、ツイータの振動板２１としては、別途の特許第５３２４８８６号の発明に係る製造方法により製造された３層構造の振動板も好適に利用することができる。
【００２１】
さらに、ツイータの振動板２１の前方には、ツイータの振動板２１から放射される音波を前方に誘導する導波ホーン２７が設けられている。この導波ホーン２７は、ツイータの振動板２１に接触しない状態でツイータの振動板２１の外周縁２１ｃに近接した位置から中間磁極部材１２の磁極部１２ｂを超える前方位置までに掛けて中間磁極部材１２の内部に配置され、ツイータの振動板２１の径に対応する径の入口開口２７ａから磁極部１２ｂを超える前方位置まで徐々に内径が広がる筒形に形成されたエクスポーネンシャルホーンである。導波ホーン２７は、中間磁極部材１２に対して位置決め支持されている。これにより、ツイータは、ホーンスピーカとして効率よく音波を前方に放射する。
【００２２】
さらに、ツイータの振動板２１の前方正面には、導波ホーン２７の入口開口２７ａの部分から導波ホーン２７の途中の部分までに掛けて、整流器２８が設けられていて、振動板２１からの直接の音波の前進を妨げており、音波は、整流器２８の背面２８ａの周辺と導波ホーン２７の入口開口２７ａとの間の隙間から導波ホーン２７の内部空間に向かって整流されて放射される。整流器２８は、略砲弾形状をした立体部材であり、背面２８ａは、ドーム形振動板２１の凸曲面とほぼ平行に向かい合う凹曲面を成し、側面は円柱状で前端に掛けて徐々に先細となる曲面を成している。振動板２１の分割振動からの直接放射が背面２８ａに遮られて分割振動に起因する歪み成分が適当に抑えられて、歪みの少ない音が導波ホーンの前方に放射される。整流器２８は、図では明示されていないが、適宜の支持部材により導波ホーン２７に対して支持されている。
【００２３】
スコーカ用のボイスコイルギャップ３５の中には、スコーカ用ボイスコイルの巻き線３３が巻回されたスコーカ用ボイスコイルのボビン３２が、スコーカ用の中央ダンパ３４により前面ヨーク部材１３に対して位置決め支持されて、ギャップ３５内で宙吊り状態で前後方向（図２では左右方向）に往復運動可能に配置されている。スコーカ用ボイスコイルのボビン３２の前縁には、スコーカの振動板３１の中央開口部３１ｃが一体的に接続形成されている。スコーカ用ボイスコイルの巻き線３３に流れる音声電流に応じてスコーカの振動板３１が振動して、前方（図２では左方）に放音する。スコーカの振動板３１は、前後方向中心軸線Ｘｏ−Ｘｏを中心軸とする前方に凹の円錐台状の曲面であって、中心軸に対する斜面の傾斜が周辺から後方中央に向かって徐々に前後方向中心軸線Ｘｏ−Ｘｏと平行に近づく曲面を成し、後方中央部に円形の中央開口部３１ｃを有する湾曲した円錐台状曲面の形状に形成されている。すなわち、円錐台状曲面の傾斜が、ボイスコイルのボビン３２に接続された部分で前後方向中心軸線Ｘｏ−Ｘｏに平行な方向から、前方に向かって徐々に前後方向中心軸線Ｘｏ−Ｘｏに対して大きい角度になる方向に変化させてある。このような曲面形状により、振動板３１の曲げこわさが中央領域で高くなっており、振動板３１の分割振動が抑制され、ピストンモーションが保証される。この実施形態では、スコーカの振動板３１は、厚さが１００μｍのＭｇの薄板で、直径６０ｍｍの前方に凹の円錐台状曲面の形状に形成されている。なお、発明者らの実験では、Ｍｇの板厚は、５０〜２００μｍの範囲で、また、円錐台状曲面の形状の直径は、５０〜７０ｍｍの範囲で、実用的であった。また、スコーカの振動板３１としては、別途の特許第５３２４８８６号の発明に係る製造方法により製造された３層構造の振動板も好適に利用することができる。
【００２４】
スコーカの振動板３１の外周縁部３１ｄには、さらに、振動板３１の曲面の延長方向の曲面をなす形に円環面状の連結振動板３９が接続されており、連結振動板３９は、振動板３１の振動に対して柔軟であるとともに粘性および内部損を有する粘弾性体の部材で出来ている。スコーカの振動板３１と連結振動板３９の接続構造は、図３に示すように、連結振動板３９の内周縁の厚みの中央部に振動板３１の厚さに相当する幅の溝が深さ５ｍｍに切られていて、その中に振動板３１の外周縁部３１ｄの先端が嵌め込まれている。連結振動板３９は、加工の都合上、図示の切れ目線３９ｃの箇所で円周方向に７個に分割してある。この分割は、図１に示すように、あえて不均一にしてあり、この振動系が特定の周波数で共振しにくくなっている。連結振動板３９の幅（半径方向の長さ）は、１５〜２０ｍｍの範囲で実用的であった。
【００２５】
さらに、連結振動板３９の外周縁部３９ｄには、スコーカの振動板３１および連結振動板３９の曲面の延長方向の曲面をなす円環状のウーファの振動板４１が接続されており、スコーカの振動板３１の振動が連結振動板３９を介してウーファの振動板４１を駆動する構成になっている。連結振動板３９とウーファの振動板４１の接続構造は、図３に示すように、連結振動板３９の外周縁部３９ｄの厚みの中央部に振動板４１の厚さに相当する幅の溝が深さ５ｍｍに切られていて、その中に振動板４１の内周縁が嵌め込まれている。ウーファの振動板４１の外周縁部４１ｄは、周縁ダンパ４９によりフレーム５１に対して浮動的に位置決め支持されていて、前後方向に往復運動可能である。
【００２６】
このような構成により、この実施形態では、２００Ｈｚより高い振動は、連結振動板３９の粘性と内部損による形状維持作用（いわゆる固体的性質）よりも柔軟性による変形許容作用の方が優越して、連結振動板３９に遮られてスコーカの振動板３１からウーファの振動板４１の方へ伝達されにくく、スコーカの振動板３１の外周縁部３１ｄが連結振動板３９の柔軟性によりダンパー的に支持され（すなわち、部分的な変形が許容されていわゆる免震支持され）て、スコーカの振動板３１が中音域の音の再生を行う。この場合、連結振動板３９の柔軟性および粘性と内部損により振動板３１から来た振動が吸収されて反射が抑えられるので、スコーカの振動板３１の再生音の歪みが抑えられる。逆に、２００Ｈｚより低い振動は、連結振動板３９の粘性と内部損による形状維持作用（いわゆる固体的性質）の方が柔軟性による変形許容作用よりも優越して、スコーカの振動板３１からウーファの振動板４１の方へ伝達されやすく、スコーカの振動板３１と連結振動板３９とウーファの振動板４１が一体となって振動し、見かけ上大径の振動板として、全体で低音域の音の再生を行う。ウーファの振動板４１は、この実施形態では、円環状の連続した一枚の曲面板としたが、図１に二点鎖線４１ｃで示す箇所で７枚に分割して形成してもよく、その場合も、この振動系が特定の周波数で共振しにくいように、不均一に分割するのがよい。ウーファの振動板４１は、厚さが０．８ｍｍのステンレスの板で、外径１６０ｍｍの平面に近い円錐台状曲面の形状に形成されている。発明者らの実験では、ウーファの振動板４１の材質は、ステンレスが好適であり、板厚は０．５〜１ｍｍの範囲で、外径は１４０〜２００ｍｍの範囲で、実用的であった。また、アルミニウムも、使用することができ、その場合は、質量を増す意味で板厚を１〜２ｍｍとして、同様の性能を得ることができた。
【００２７】
ここで、上記実施形態におけるツイータの振動板２１とスコーカの振動板３１の好適な製造方法について説明する。ツイータの振動板２１の場合、まず、ドーム形状の振動板２１とボイスコイルのボビン２２の一体となった形状の基板を薄い銅板でプレス加工または絞り加工により用意する。次いで、当該基板の内面に薄い絶縁膜を介して真空蒸着法によりＢｅの膜を、例えば、厚さ＝２５μｍに蒸着する。次に、この出来上がった積層物の基板部分の銅をフォトリソグラフィ法によりエッチングして、ボイスコイルの巻き線２３となる部分をボイスコイルのボビン２２の部分の周囲にらせん状に残して、コイルの巻線の隣接線間と振動板２１部分の前面全体の銅を除去する。これにより、ボイスコイルのボビン２２に絶縁膜を介してボイスコイルの巻き線が巻回された状態でボイスコイルのボビン２２と振動板２１が一体となったＢｅの厚さ＝２５μｍのツイータの振動板が出来上がる。スコーカの振動板３１の場合も同様であって、まず、円錐台状曲面の形状の振動板３１とボイスコイルのボビン３２の一体となった形状の基板を薄い銅板でプレス加工または絞り加工により用意する。次いで、当該基板の内面（振動板３１の前面となる側）に薄い絶縁膜を介して真空蒸着法によりＭｇの膜を、例えば、厚さ＝１００μｍに蒸着する。次に、この出来上がった積層物の基板部分の銅をフォトリソグラフィ法によりエッチングして、ボイスコイルの巻き線３３となる部分をボイスコイルのボビン３２の部分の周囲にらせん状に残して、コイルの巻線の隣接線間と振動板３１部分の背面全体の銅を除去する。これにより、ボイスコイルのボビン３２に絶縁膜を介してボイスコイルの巻き線３３が巻回された状態でボイスコイルのボビン３２と振動板３１が一体となったＭｇの厚さ＝１００μｍのスコーカの振動板が出来上がる。上述のＭｇ膜の蒸着を、銅製の基板に温度勾配を持たせた条件下で行って、Ｍｇの結晶の成長方向を振動板３１の放射方向に揃えると、振動板３１の放射方向の曲げこわさが高くなって、振動板３１の分割振動が抑制され、ピストンモーションが保証されることに寄与する。これにより、中音域における再生音の歪みが低減される。ツイータの振動板２１とスコーカの振動板３１を蒸着により形成すると、不純物のない各単一の純粋な金属材質で、プレス成型する場合に比べて加工歪みのない均一な内部摩擦分布の振動板が出来上がるので、分割振動の生じにくい振動板となり、歪みの少ないスピーカが実現できる。
【００２８】
また、図２に明示されているように、この実施形態では、ツイータの振動板２１をスコーカの振動板３１よりも後方（図２では右方）に位置させており、これにより、ツイータの振動板２１から放射される音波の位相をスコーカの振動板３１から放射される音波の位相に対して視聴者の位置で聴感上好ましい程度の位相遅れとなるように調整している。この後方にずらす距離は、大方の視聴者の位置に対して聴感上好ましい位相遅れを生じる程度の範囲で適切な値に設定する。最適な距離を実験的に求めるには、中央磁極部材１１の後端から中間磁極部材１２の前端までの寸法を一定として、つまり、スコーカ用のボイスコイルギャップ３５の位置を一定として、ツイータ用のボイスコイルギャップ２５の位置が前後方向に異なる位置となる複数とおりの中央磁極部材１１と中間磁極部材１２の組を用意して、図示しないが、それぞれ背面ヨーク部材１５と支持部材１６に対してねじ止め交換可能とし、官能検査により最適の組を求めることができる。例えば、４ｋＨｚの音については、２０ｍｍの前後方向位置の違いが約９０度（＝１／４波長）の位相の違いに相当する。
【００２９】
次に、各振動板のバックキャビティについて説明する。図２に示されるように、ツイータの振動板２１の後方において中央磁極部材１１の中心軸付近に前面から細長い丸孔（図２では２本）が穿設され、それに連通して背面ヨーク部材１５に丸孔が穿設されるとともにその背面にキャップ部材１５ａが設けられていて、振動板２１の背面の空間とそれらが連続してツイータのバックキャビティ１１ｖを形成している。中央磁極部材１１の細長い丸孔、背面ヨーク部材の丸孔と、キャップ部材１５ａの中の空間にはグラスウールが詰められている。他方、フレーム５１に振動板４１の背面からフレーム５１の後方の空間に向けて透孔５１ｈが穿設されていて、この構造により、振動板３１、４１の背面の空間がスピーカシステムの後方の空間に連通し、スピーカシステムをスピーカエンクロージャに取り付けた場合に、スピーカエンクロージャの内容積がスコーカおよびウーファのバックキャビティを形成する。ツイータのバックキャビティ１１ｖは、スコーカの振動板３１およびウーファの振動板４１の振動による気圧変動の干渉を避けるために、キャップ部材１５ａによりスコーカおよびウーファのバックキャビティから独立している。
【００３０】
上述した実施形態では、磁気回路の起磁力として永久磁石を採用しているので、スピーカ単体として扱うのに便利であることに加えて、特に、上述したような飽和磁束密度の高いエネルギ積の大きい材料の永久磁石を採用することができ、それによりボイスコイルの動きに対する制動力が大きくなり、周波数特性の最低共振周波数（ｆ０  ）におけるＱ値がより大きく低下し、特性曲線のピークがさらに抑えられ、それ以下の裾野部分がより低域に向かって延びる効果がある。
【００３１】
以上に説明した実施形態において、ツイータとスコーカとウーファが同じ軸位置から、かつ、前後方向にもほぼ同じ位置（ただし、聴感上好ましい位相調整の分だけずらしてある）から音を放射するので、視聴者から見て音像の方向が周波数帯に応じてずれることなく、良好な再生音空間が提供される。さらに、スコーカの振動板が徐々に傾斜の変化する湾曲した円錐台状曲面の形状に形成されているので、単純な直線的傾斜の円錐台状の形状の場合に比べて曲げこわさが向上しており、ピストンモーション領域が広く、歪みの少ない音の再生が期待できる。また、ツイータとスコーカとウーファが１つのユニットとしてできているので、スピーカボックスに占める大きさが小さくて済む。
【００３２】
さらに、スコーカの振動板の外側に振動に対して柔軟であるとともに粘性および内部損を呈する円環面状の連結振動板を介してウーファの振動板が配置されていることにより、スコーカのボイスコイルによってスコーカの振動板とウーファの振動板が共に駆動されるとともに、連結振動板の作用により、中音域の音はスコーカの振動板から再生され低音域の音はスコーカの振動板とウーファの振動板の合わさった振動板から再生されるので、見かけ上１個のスピーカで従来の３ウエイスピーカシステムと同等の範囲の音再生を行うことができる。
【００３３】
さらに、スコーカの磁気回路に永久磁石を採用してスコーカのボイスコイルギャップの磁束密度を高くした実施形態によると、スコーカによる再生音域を従来のウーファによる再生音域よりもさらに低音域まで延ばすことができる。
【符号の説明】
【００３４】
Ｘｏ−Ｘｏ…前後方向中心軸線、１１…中央磁極部材、１１ａ…磁極部、１１ｂ…基部、１１ｖ…バックキャビティ、１２…中間磁極部材、１２ａ…磁極部、１２ｂ…磁極部、１３…前面ヨーク部材、１３ａ…磁極部、１３ｂ…外周部、１５…背面ヨーク部材、１５ａ…キャップ部材、１６…支持部材、１８…永久磁石、２１…ツイータの振動板、２１ｃ…外周縁、２２…ツイータ用ボイスコイルのボビン、２３…ツイータ用ボイスコイルの巻き線、２４…ツイータ用のダンパ、２５…ツイータ用のボイスコイルギャップ、２７…導波ホーン、２７ａ…入口開口、２８…整流器、２８ａ…整流器の背面、３１…スコーカの振動板、３１ｃ…中央開口部、３１ｄ…外周縁部、３２…スコーカ用ボイスコイルのボビン、３３…スコーカ用ボイスコイルの巻き線、３４…スコーカ用の中央ダンパ、３５…スコーカ用のボイスコイルギャップ、３９…連結振動板、３９ｃ…切れ目、３９ｄ…外周縁部、４１…ウーファの振動板、４１ｃ…切れ目、４１ｄ…外周縁部、４９…ウーファ用の周縁ダンパ、５１…フレーム、５１ｈ…透孔。
【図１】
2020031405.tif 000003
【図２】
2020031405.tif 000004
【図３】
2020031405.tif 000005